(57)【要約】【課題】水蒸気改質プロセスでの大量の水を大幅に低減することができ、また触媒も使用する必要がなく、低コストでメタンや水素を製造することができるようにする。【解決手段】本発明のガス製造装置１Ｃは、水と水以外の液体とから水混合体を製造するメタン用水混合体製造部２０、水素用水混合体製造部３０と、メタン水混合体製造部２０で製造された水混合体を原料としてメタンガスを発生させるメタンガス製造部４０と、水素用水混合体製造部３０で製造された水混合体を原料として水素ガスを発生させる水素ガス製造部５０とを備え、そのメタンガス製造部４０と水素ガス製造部５０との間に熱交換を行わせることを特徴としている。【選択図】図３
2010275538.tif 000002
【特許請求の範囲】
【請求項１】
ガスを製造するガス製造装置において、
水と水以外の液体とから水混合体を製造する水混合体製造部と、
上記水混合体製造部で製造された水混合体を原料としてメタンガスを発生させるメタンガス製造部と、
を備えたことを特徴とするガス製造装置。
【請求項２】
上記水以外の液体は油であり、
上記メタンガス製造部は、下記の熱化学反応式（１）でメタンガスを発生させる、請求項１に記載のガス製造装置。
ＣmＨn＋{（４ｍ−ｎ）／４}Ｈ2Ｏ→{（４ｍ−ｎ）／８}ＣＯ2＋{（４ｍ＋ｎ）／８}ＣＨ4＋（１７７．１ｍ−２５．５ｎ）（ＭＪ／ｋｍｏｌ）・・・（１）
【請求項３】
上記水以外の液体はジメチルエーテル（ＤＭＥ）であり、
上記メタンガス製造部は、下記の熱化学反応式（２）でメタンガスを発生させる、請求項１に記載のガス製造装置。
Ｃ2Ｈ6Ｏ＋Ｈ2Ｏ→ＣＯ2＋ＣＨ4＋２Ｈ2＋４１１．３（ＭＪ／ｋｍｏｌ）・・・（２）
【請求項４】
上記水以外の液体はアルコールである、請求項１に記載のガス製造装置。
【請求項５】
上記アルコールはエタノールであり、
上記メタンガス製造部は、下記の熱化学反応式（３）でメタンガスを発生させる、請求項４に記載のガス製造装置。
Ｃ2Ｈ5ＯＨ＋Ｈ2Ｏ→ＣＯ2＋ＣＨ4＋２Ｈ2＋４１１．３（ＭＪ／ｋｍｏｌ）・・・（３）
【請求項６】
上記水以外の液体は油とアルコールである、請求項１に記載のガス製造装置。
【請求項７】
上記油はナフサで、アルコールはメタノールであり、
上記メタンガス製造部は、下記の熱化学反応式（４）でメタンガスを発生させる、請求項６に記載のガス製造装置。
Ｃ5Ｈ12＋２Ｈ2Ｏ＋ＣＨ3ＯＨ→ＣＯ2＋ＣＯ＋４ＣＨ4＋２Ｈ2＋６８９．４（ＭＪ／ｋｍｏｌ）・・・（４）
【請求項８】
上記油はナフサで、アルコールはエタノールであり、
上記メタンガス製造部は、下記の熱化学反応式（５）でメタンガスを発生させる、請求項６に記載のガス製造装置。
Ｃ5Ｈ12＋２Ｈ2Ｏ＋Ｃ2Ｈ5ＯＨ→ＣＯ2＋ＣＯ＋５ＣＨ4＋Ｈ2＋７６４．３（ＭＪ／ｋｍｏｌ）・・・（５）
【請求項９】
ガスを製造するガス製造装置において、
水と水以外の液体とから水混合体を製造する水混合体製造部と、
上記水混合体製造部で製造された水混合体を原料として水素ガスを発生させる水素ガス製造部と、
を備えたことを特徴とするガス製造装置。
【請求項１０】
上記水以外の液体は油であり、
上記水素ガス製造部は、下記の熱化学反応式（６）で水素ガスを発生させる、請求項９に記載のガス製造装置。
ＣmＨn＋{（１２ｍ−ｎ）／８}Ｈ2Ｏ→{（４ｍ−ｎ）／８}ＣＯ2＋{（４ｍ＋ｎ）／８}ＣＯ＋{３（４ｍ＋ｎ）／８}Ｈ2＋（１２５．５ｍ−６３．０ｎ）（ＭＪ／ｋｍｏｌ）・・・（６）
【請求項１１】
上記水以外の液体はジメチルエーテル（ＤＭＥ）であり、
上記水素ガス製造部は、下記の熱化学反応式（７）で水素ガスを発生させる、請求項９に記載のガス製造装置。
Ｃ2Ｈ6Ｏ＋２Ｈ2Ｏ→ＣＯ2＋ＣＯ＋５Ｈ2＋４１１．３（ＭＪ／ｋｍｏｌ）・・・（７）
【請求項１２】
上記水以外の液体はアルコールである、請求項９に記載のガス製造装置。
【請求項１３】
上記アルコールはメタノールであり、
上記水素ガス製造部は、下記の熱化学反応式（８）で水素ガスを発生させる、請求項１２に記載のガス製造装置。
ＣＨ3ＯＨ＋Ｈ2Ｏ→ＣＯ2＋３Ｈ2＋３３６．４（ＭＪ／ｋｍｏｌ）・・・（８）
【請求項１４】
上記アルコールはエタノールであり、
上記水素ガス製造部は、下記の熱化学反応式（９）で水素ガスを発生させる、請求項１２に記載のガス製造装置。
Ｃ2Ｈ5ＯＨ＋２Ｈ2Ｏ→ＣＯ2＋ＣＯ＋５Ｈ2＋４４７（ＭＪ／ｋｍｏｌ）・・・（９）
【請求項１５】
上記水以外の液体は油とアルコールである、請求項９に記載のガス製造装置。
【請求項１６】
上記油はナフサで、アルコールはメタノールであり、
上記水素ガス製造部は、下記の熱化学反応式（１０）で水素ガスを発生させる、請求項１５に記載のガス製造装置。
Ｃ5Ｈ12＋６Ｈ2Ｏ＋ＣＨ3ＯＨ→ＣＯ2＋５ＣＯ＋１４Ｈ2＋４９２．８（ＭＪ／ｋｍｏｌ）・・・（１０）
【請求項１７】
上記油はナフサで、アルコールはエタノールであり、
上記水素ガス製造部は、下記の熱化学反応式（１１）で水素ガスを発生させる、請求項１５に記載のガス製造装置。
Ｃ5Ｈ12＋７Ｈ2Ｏ＋Ｃ2Ｈ5ＯＨ→ＣＯ2＋６ＣＯ＋１６Ｈ2＋６５６．８（ＭＪ／ｋｍｏｌ）・・・（１１）
【請求項１８】
上記油は、ナフサ、ガソリン、灯油、軽油、Ａ重油、Ｂ重油、Ｃ重油、原油（重質原油を含む）、重質油、植物油（藻油を含む）、動物油、廃油の少なくとも１つからなる、請求項２，６，７，８，１０，１５，１６，１７の何れか１項に記載のガス製造装置。
【請求項１９】
上記水以外の液体は、タールである、請求項１または９に記載のガス製造装置。
【請求項２０】
上記水以外の液体は、ベンゼン、トルエン、キシレンの何れか１つを含む、請求項１または９に記載のガス製造装置。
【請求項２１】
上記水以外の液体は、炭化水素系の各種の液体である、請求項１または９に記載のガス製造装置。
【請求項２２】
ガスを製造するガス製造装置において、
水と水以外の液体とから水混合体を製造する水混合体製造部と、
上記水混合体製造部で製造された水混合体を原料としてメタンガスを発生させるメタンガス製造部と、
上記水混合体製造部で製造された水混合体を原料として水素ガスを発生させる水素ガス製造部と、
を備えたことを特徴とするガス製造装置。
【請求項２３】
上記メタンガス製造部は、３００±１５０℃の温度に設定された第１の反応器でメタンガスを発生させ、
上記水素ガス製造部は、７００±１５０℃の温度に設定された第２の反応器で水素ガスを発生させる、請求項２２に記載のガス製造装置。
【請求項２４】
上記第１の反応器と第２の反応器とを接続し、第１の反応器で発生した熱を第２の反応器に供給して第２の反応器を７００±１５０℃の温度に保持し、第２の反応器での吸熱化学反応で第１の反応器を冷却し第１の反応器を３００±１５０℃の温度に保持する、請求項２３に記載のガス製造装置。
【請求項２５】
上記水は触媒を含有する、請求項１に記載のガス製造装置。
【請求項２６】
上記触媒は炭酸カリウム（Ｋ2ＣＯ3）である、請求項２５に記載のガス製造装置。
【請求項２７】
上記炭酸カリウムは、水の硬度に応じて添加量が変わる、請求項２６に記載のガス製造装置。
【請求項２８】
上記水以外の液体は植物油である、請求項２５から２７の何れか１項に記載のガス製造装置。
【請求項２９】
上記植物油は天ぷら廃油であり、
上記メタンガス製造部は、下記の熱化学反応式（１２）でメタンガスを発生させる、請求項２８に記載のガス製造装置。
Ｃ17Ｈ31ＣＯＯＨ＋９Ｈ2Ｏ（含Ｋ2ＣＯ3）→５．５ＣＯ2＋１２．５ＣＨ4・・・・・・（１２）
【発明の詳細な説明】
【技術分野】
【０００１】
本発明は、ガスを製造するガス製造装置に関するものである。
【背景技術】
【０００２】
近年、メタンは燃料用ガスとして都市ガスに使用され、また水素は燃料電池等に使用され、消費量や用途が高まっている。
【０００３】
このメタンや水素は、工業的には、ＬＰＧ、ナフサ等の軽質炭化水素を原料とする水蒸気改質プロセスにより大量に生産されている（例えば、下記の特許文献１，２，３参照）。
【先行技術文献】
【特許文献】
【０００４】
【特許文献１】特開２００４−１７５６１７号公報
【特許文献２】特開２００７−１３６４４５号公報
【特許文献３】特開平１１−３２３３５５号公報
【０００５】
しかし、この水蒸気改質プロセスによる生産では、大量の水と、高価な触媒が大量に使用され、ガス製造単価が高くなる要因となっていた。また炭素の析出（コーキング）による触媒活性低下を防止しなければならいという課題も有していた。
【０００６】
さらに、この水蒸気改質プロセスによる生産では、触媒を反応管に充填するため、反応管が大型化し、また、大量の水蒸気を発生させるための装置が必要であり、全体的に装置が大型化し、設置スペースの確保が困難であるという課題も有していた。
【発明の概要】
【発明が解決しようとする課題】
【０００７】
この発明は上記に鑑み提案されたもので、水蒸気改質プロセスでの大量の水を大幅に低減することができ、また触媒も使用する必要がなく、使用した場合でも少量で済ますことができ、低コストでメタンや水素を製造することができ、また装置を小型化し設置スペースも容易に確保することができるガス製造装置を提供することを目的とする。
【課題を解決するための手段】
【０００８】
上記目的を達成するために、請求項１に記載の発明は、ガスを製造するガス製造装置において、水と水以外の液体とから水混合体を製造する水混合体製造部と、上記水混合体製造部で製造された水混合体を原料としてメタンガスを発生させるメタンガス製造部と、を備えたことを特徴としている。
【０００９】
請求項９に記載の発明は、ガスを製造するガス製造装置において、水と水以外の液体とから水混合体を製造する水混合体製造部と、上記水混合体製造部で製造された水混合体を原料として水素ガスを発生させる水素ガス製造部と、を備えたことを特徴としている。
【００１０】
また、請求項２２に記載の発明は、ガスを製造するガス製造装置において、水と水以外の液体とから水混合体を製造する水混合体製造部と、上記水混合体製造部で製造された水混合体を原料としてメタンガスを発生させるメタンガス製造部と、上記水混合体製造部で製造された水混合体を原料として水素ガスを発生させる水素ガス製造部と、を備えたことを特徴としている。
【発明の効果】
【００１１】
本発明によると、水と水以外の液体とから水混合体を製造し、その水混合体を原料としてメタンガスや水素ガスを製造するようにしたので、水蒸気改質プロセスでの大量の水を大幅に低減することができ、また触媒も使用する必要がなく、低コストでメタンや水素を製造することができる。
【００１２】
また、触媒を用いないため反応管を小型化でき、さらに、水蒸気を発生させるための装置も不要となるため、全体的に装置を大幅に小型化でき、設置スペースも容易に確保することができる。
【図面の簡単な説明】
【００１３】
【図１】本発明のガス製造装置の第１の実施形態を示す図である。
【図２】水と天ぷら廃油とのエマルジョンを形成する各粒子の状態を模式的に示す図である。
【図３】本発明のガス製造装置の第２の実施形態を示す図である。
【図４】本発明のガス製造装置の第３の実施形態を示す図である。
【発明を実施するための形態】
【００１４】
図１は本発明のガス製造装置の第１の実施形態を示す図である。図１において、本発明のガス製造装置１Ａは、メタンガスを製造するガス製造装置であり、水と水以外の液体とから水混合体を製造する水混合体製造部２０と、その水混合体製造部２０で製造された水混合体を原料としてメタンガスを発生させるメタンガス製造部４０と、を備えている。
【００１５】
水タンク１１に貯蔵された水は、ポンプ１２で送出され、流量計１３および流量制御弁１４を経由して、上記の水混合体製造部２０に供給される。
【００１６】
液体タンク１５に貯蔵された、水以外の液体（以下、単に「液体」という）は、ポンプ１６で送出され、流量計１７を経由して、上記の水混合体製造部２０に供給される。
【００１７】
ここで、液体は、油（ナフサ、ガソリン、灯油、軽油、Ａ重油、Ｂ重油、Ｃ重油、原油（重質原油を含む）、重質油、植物油（藻油を含む）、動物油、廃油（例えば使用済みのエンジンオイルや天ぷら油））、ジメチルエーテル（ＤＭＥ）、アルコール（メタノール、エタノール、バイオエタノール、発酵生成エタノール等）、タール（コールタール、木タール等）、ベンゼン、トルエン、キシレンであり、また油とアルコールの混合物をいう。さらに、炭化水素系の各種の液体である。
【００１８】
液体が油の場合は、水混合体は、水と油からなるが、水と油は通常は界面活性剤を用いて乳化されエマルジョンとなる。ここでは、水と油からなる水混合体として、このような、界面活性剤を用いたエマルジョンだけでなく、水にヒドロキシルイオン（Ｈ3Ｏ2-）を含むことで界面活性剤を用いずに水と油とが混ざるようになったエマルジョンも含むものとする。
【００１９】
水混合体製造部２０で均一になるように混合され生成された水混合体は、質量流量計（例えばコリオリ式質量流量計）２１を通過した後、加熱器２２で加熱され、その後脱硫器２３で硫黄分が除去され、メタンガス製造部４０に原料として供給される。水混合体のメタンガス製造部４０の入口での温度は、約３００℃となるように、加熱器２２で加熱される。この３００℃は、メタンガス製造部４０において、ＣＯ2生成による発熱により、高温ガスをつくるのに必要なメタンガス製造部入口温度であり、対象となる水混合体の種類に応じて各種温度に設定される。
【００２０】
上記の流量計１３は水の体積流量ＶＦｗを計測し、流量計１７は液体の体積流量ＶＦｑを計測し、質量流量計２１は水混合体の質量流量ＭＦｍを計測し、その計測結果ＶＦｗ、ＶＦｑ、ＭＦｍは、制御部１００に出力される。制御部１００では、その計測結果ＶＦｗ、ＶＦｑ、ＭＦｍを用いて、次の手順で液体の密度ρｑを求める。すなわち、先ず水の密度が１ｇ／ｃｃのとき、水の体積流量ＶＦｗ＝水の質量流量ＭＦｗであり、この水の質量流量ＭＦｗを用いて、次式（１）により、液体の質量流量ＭＦｑを求め、液体の密度ρｑを式（２）で求める。
ＭＦｑ＝ＭＦｍ−ＭＦｗ＝ＭＦｍ−ＶＦｗ・・・（１）
ρｑ＝ＭＦｑ／ＶＦｑ・・・（２）
【００２１】
制御部１００は、さらに液体の密度ρｑから、液体を構成する分子の組成式を決定する。例えば、液体が組成式ＣｍＨｎで表わされる油の場合、液体の密度ρを用いて、組成ｍ、ｎを決定し、それにより油（液体）の組成式を決定する。
【００２２】
ところで、メタンガス製造部４０では、後述するように、水と液体との熱化学反応によりメタンガスを製造するが、その熱化学反応において、水（水蒸気）が余分に存在すると、製造されたメタンガス（ＣＨ4）は、その余分に存在する水とさらに反応して、一酸化炭素（ＣＯ）と水素（Ｈ2）とに分解し、製造されたメタンガス（ＣＨ4）が減少してしまう。逆に水が不足すると、水と液体とから最大量のメタンガスが得られなくなる。すなわち、水と液体との間には最大量のメタンガスが製造されるための最適なモル比が既知のものとして存在しており、制御部１００は、水と液体とがその最適なモル比となるように、上記の液体の密度ρｑを用いて、水の最適体積流量ＶＦｗｏを求め、続いて流量計１３で計測した水の体積流量ＶＦｗがその最適体積流量ＶＦｗｏとなる、流量制御弁１４の弁開度Ｄｃを求め、その指令信号を流量制御弁１４に出力する。このようにして、メタンガス製造部４０には、最大量のメタンガスが得られる最適のモル比に制御された水と液体とからなる水混合体が送り込まれる。
【００２３】
メタンガス製造部４０では、入口から出口に渡って反応管（図示省略）が貫通し、その反応管内を水混合体が流れる。反応管内では周囲の熱を受けて熱化学反応が起こって水混合体がガス化され、その大部分がメタンガスとなり、その他に二酸化炭素ガスとなって出口から回収される。なお、水混合体を構成する液体がＤＭＥやアルコールの場合は水素ガスも生成される。
【００２４】
反応管に熱を供給するために、メタンガス製造部４０の入口側から内部に向けて、加熱器４４で加熱された空気と、燃料とを送り込み、反応管の周囲で燃焼させている。その熱を受けて反応管内では、上記のように、熱化学反応が起こり、入口側では約３００℃であった水混合体がガス化し、生成熱が大きいＣＯ2の発熱反応により、ガス温度は１３００〜１６００℃まで温度が上昇する。
【００２５】
ガス温度が高いとガス中のメタンの割合が小さくなるために、冷却媒体による冷却により、メタンが最大割合になるようにメタンガス製造部出口温度が３００±１５０℃となるように制御されている。１５０℃以下となると、油が１００％蒸気にならない点で不具合が生じ、４５０℃以上となると他の反応が起こる点で不具合が生じるからである。なお、より好ましい出口温度は３００〜３５０℃である。
なお、冷却媒体に原料である水混合体を用いるようにしてもよい。
【００２６】
メタンガス製造部４０で製造されたガスは、その後冷却器４１でさらに冷却された後、２系統に分岐し、一方の系統では、脱炭酸部４２で二酸化炭素ガスが除去された後、クーラー４３で５０℃に冷却され、メタンが９９．８〜９９．９％で、二酸化炭素ガスが０．１〜０．２％の純メタンガスとしてメタンガス消費ユーザに供給される。また、このメタンガスにＬＰＧ（液化石油ガス）と付臭剤を添加することで、１３Ａのような都市ガスに変換されて消費される。
【００２７】
他方の系統では、直接クーラー４５で５０℃に冷却され、メタンが７０〜８０％で、二酸化炭素ガスが２０〜３０％のメタンガスとしてメタンガス消費ユーザに供給される。
【００２８】
上記のメタンガス製造部４０における熱化学反応は、水混合体を構成する液体の種類に応じて次のようになる。
【００２９】
先ず、液体が油の場合、メタンガス製造部４０は、下記の熱化学反応式（５）でメタンガスを発生させる。なお、液体が油の場合、水混合体は水と油とのエマルジョンである。
ＣmＨn＋{（４ｍ−ｎ）／４}Ｈ2Ｏ→{（４ｍ−ｎ）／８}ＣＯ2＋{（４ｍ＋ｎ）／８}ＣＨ4＋（１７７．１ｍ−２５．５ｎ）（ＭＪ／ｋｍｏｌ）・・・（５）
【００３０】
また、液体がジメチルエーテル（ＤＭＥ）の場合、メタンガス製造部４０は、下記の熱化学反応式（６）でメタンガスを発生させる。
Ｃ2Ｈ6Ｏ＋Ｈ2Ｏ→ＣＯ2＋ＣＨ4＋２Ｈ2＋４１１．３（ＭＪ／ｋｍｏｌ）・・・（６）
【００３１】
液体がエタノール（アルコール）の場合、メタンガス製造部４０は、下記の熱化学反応式（７）でメタンガスを発生させる。
Ｃ2Ｈ5ＯＨ＋Ｈ2Ｏ→ＣＯ2＋ＣＨ4＋２Ｈ2＋４１１．３（ＭＪ／ｋｍｏｌ）・・・（７）
【００３２】
液体がナフサ（油）とメタノール（アルコール）の場合、メタンガス製造部４０は、下記の熱化学反応式（８）でメタンガスを発生させる。なお、水とナフサとはエマルジョンを形成し、水混合体はこのエマルジョンとメタノールとの混合体である。
Ｃ5Ｈ12＋２Ｈ2Ｏ＋ＣＨ3ＯＨ→ＣＯ2＋ＣＯ＋４ＣＨ4＋２Ｈ2＋６８９．４（ＭＪ／ｋｍｏｌ）・・・（８）
【００３３】
液体がナフサ（油）とエタノールの場合、メタンガス製造部４０は、下記の熱化学反応式（９）でメタンガスを発生させる。なお、水とナフサとはエマルジョンを形成し、水混合体はこのエマルジョンとエタノールとの混合体である。
Ｃ5Ｈ12＋２Ｈ2Ｏ＋Ｃ2Ｈ5ＯＨ→ＣＯ2＋ＣＯ＋５ＣＨ4＋Ｈ2＋７６４．３（ＭＪ／ｋｍｏｌ）・・・（９）
【００３４】
液体が天ぷら廃油の場合、メタンガス製造部４０は、下記の熱化学反応式（１０）でメタンガスを発生させる。
Ｃ17Ｈ31ＣＯＯＨ＋９Ｈ2Ｏ（含Ｋ2ＣＯ3）→５．５ＣＯ2＋１２．５ＣＨ4・・・・・・（１０）
【００３５】
この場合、水には少量の炭酸カリウム（Ｋ2ＣＯ3）が界面活性剤として添加され、水混合体は、水と天ぷら廃油とのエマルジョンとなる。水に添加する炭酸カリウムの重量濃度は、水の硬度に応じて変化し、例えば水の硬度が０のとき０．１ｗｔ％、８０のとき０．５ｗｔ％、１０００以上のとき５ｗｔ％とするのが適している。上記の適正な濃度の炭酸カリウムを含有する水と、天ぷら廃油とを混合させ、エマルジョンを生成する。このエマルジョンについて説明する。
【００３６】
図２は水と天ぷら廃油とのエマルジョンの状態を模式的に示す図である。水と天ぷら廃油とのエマルジョンは、図２に示すように、天ぷら廃油２の全体にわたって多数の水粒子３が密に存在する状態となっており、Ｗ／Ｏ型エマルジョンとなっている。個々の水粒子３は水の分子集団であり、粒径は１μｍ前後である。
【００３７】
水粒子３は、上記のように、天ぷら廃油２の全体にわたって存在し、その水粒子３の各々には、図２に拡大して示すように、全外表面に界面活性剤の炭酸カリウム４が存在している。この状態のエマルジョンを加熱すると、水と天ぷら廃油とはそれぞれ蒸気となって互いに反応し、上記の熱化学反応式（１０）に従って高温のＣＯ2とＣＨ4が生成される。その際に炭酸カリウムはそれぞれの蒸気の表面に存在し、互いに接触したときに反応触媒の役目を担い、ＣＯ2とＣＨ4の生成を促進させている。このように、炭酸カリウムは、界面活性剤の機能と反応触媒の機能とを合わせ持っている。
【００３８】
上記の熱化学反応式（１０）から、天ぷら廃油と水の体積割合が約２：１のエマルジョンを加熱蒸発反応させると、発生するガスのＣＯ２とメタンの割合はそれぞれ３１％、６９％となる。
天ぷら廃油と水からメタンを製造した場合の特長は以下のとおりである。
ａ）特殊な水でなく水道水が使用可能
ｂ）炭素（Ｃ）は植物由来なので（１０）式のＣＯ2およびＣＨ4の燃焼によるＣＯ2はゼロエミッションとなる。
ｃ）硫黄分が無いので、製造ガスの燃焼排ガス中の硫黄酸化物（ＳＯｘ）はゼロ。
ｄ）原料費を含む運転費および設備費が非常に安価。
ｅ）装置がシンプルでスペースをとらない。
ｆ）水に溶かした炭酸カリウム（Ｋ2ＣＯ3）が反応触媒となるので反応器内に触媒が不要。
ｇ）炭酸カリウム（Ｋ2ＣＯ3）が界面活性剤および反応触媒の機能を合わせ持つ
ｈ）Ｋ2ＣＯ3は食品にも使われているため、排出されても環境にやさしい
ｉ）産業廃棄物である廃食油を処理でき、かつ高価なＣＨ4を製造できるため、環境およびエネルギー問題の解決となる。
ｊ）（１０）式のＣＯ2の生成熱が大きくその熱を利用できるために定常運転での熱エネルギー費は極端に小さくなる。
【００３９】
上記の説明では、天ぷら廃油からメタンを生成するようにしたが、天ぷら廃油に限らず、他の植物油からも同様にメタンを生成することができる。その場合、上記と同様に、炭酸カリウムを溶かした水と、植物油とでエマルジョンを形成する。
なお、炭酸カリウムはもともと、植物に含まれる物質で、このことは植物を燃やした後の灰に炭酸カリウムが存在することからも分かる。したがって、植物が生きている間に、植物の体内では炭酸カリウムが界面活性剤としての機能を発揮し、水分と油分を混ぜ合わせていたと考えられる。よって、炭酸カリウムが水に溶けその水溶液が植物油と乳化するものと考えられる。
また、水で洗った木炭に火をつけても燃えないことは、炭酸カリウムが水に溶け出し木炭から出て行ったことにより起きた現象である。このことから、炭酸カリウムは反応触媒としての機能を持っていることがわかる。
【００４０】
以上述べたように、この発明の第１の実施形態では、水と水以外の液体とから水混合体を製造し、その水混合体を原料としてメタンガスを製造するようにしたので、従来の水蒸気改質プロセスでの大量の水を大幅に低減することができ、水の消費量を４０％未満に低減することができる。また、触媒も使用する必要がなく、コーキングの懸念もなしで設備寿命を延ばすことができる。さらに、高温スチームも不要となる。したがって、メタンガスの製造コストを大幅に低減することができる。
【００４１】
また、触媒を用いないか、用いても極少量であるため、反応管を小型化でき、さらに、水蒸気を発生させるための装置も不要となるため、全体的に装置を大幅に小型化でき、設置スペースも容易に確保することができる。したがって、装置を車両にも搭載可能となり、製造したメタンガスをリアルタイムでエンジンに供給することができるようになる。
【００４２】
また、従来水蒸気改質では改質しにくかった重質成分あるいはアロマ（ベンゼン環）を含む如何なる炭化水素にも対応し、それらを原料として使用することができるようになる。
【００４３】
従来の水蒸気改質に使用される大量の水が、この発明では大幅に低減できるのは、下記の理由による。従来の水蒸気改質による場合、反応管（触媒管）に、予め各々の加熱器で加熱されてガス化された炭化水素系原料と水蒸気の混合ガスを導入し、反応管を加熱することで触媒の存在下に発生する水蒸気改質反応により、炭化水素と水との熱化学反応が進行し、改質ガス（ここではメタンガス）を生成する。このとき、反応管内では、炭化水素分子と水蒸気（水分子）とは、予め各々の加熱器で加熱されてガス状態で混合されたものであるため、その混合は十分なされているとは言えず、炭化水素分子と水分子とは距離が離れた状態になっており、熱化学反応が進み難くなっている。このため、大量の水蒸気を投入してできるだけ、炭化水素分子と水分子とのコンタクトを起こしやすくし熱化学反応が進みやすくなるようにしている。
【００４４】
これに対し、この発明では、水混合体を原料とし、その水混合体を加熱器で加熱しガス状とし反応管に導入する。このガス状の水混合体を構成する、炭化水素と水分子とは、元来液体状態で最初から互いにコンタクトし、均一に混合されていたものであるため、ガス状となってもその混合はより均一な状態を保持しており、炭化水素の周囲には、密に水分子が存在している。したがって、水蒸気を投入しなくても、熱化学反応が円滑に進行可能となっている。このことが、従来の水蒸気改質に使用される大量の水を、この発明では大幅に低減できる理由である。
【００４５】
また、従来の水蒸気改質による場合、炭化水素に大量の水蒸気を供給することで確かに熱化学反応は進行しやすくなるものの、一旦生成したメタンガスと、その周囲の余分の水分子とが吸熱反応を起こし、一酸化炭素と水素に分解してしまい（ＣＨ4＋Ｈ2Ｏ→ＣＯ＋３Ｈ2）、回収されるメタンガス（ＣＨ4）が逆に減少するようになる。このため、ガス生成が効率良く行われていないのが現状である。
【００４６】
これに対し、この発明では上記したように、水の体積流量ＶＦｗ、液体の体積流量ＶＦｑ、および水混合体の質量流量ＭＦｍを計測し、この計測結果を用いて、水と液体とのモル比が、メタンガス製造に最適なモル比となるように、水の流量を制御している。すなわち、この発明では、投入された水分子中の水素はそのすべてがメタンに変換され、炭化水素の周囲には余分の水分子は存在せず、ガス生成を最高の効率下で行うことができる。
【００４７】
また、この発明では、上記したように、水の体積流量ＶＦｗ等の計測結果を用いて、組成式ＣｍＨｎで表わされる油の組成ｍ、ｎを決定することができる。このため、油の種類に関係なく、水と油とのモル比がメタンガス製造に最適なモル比となるように、水の流量を制御することができ、したがって、ナフサ、ガソリン、灯油、軽油、Ａ重油、Ｂ重油、Ｃ重油、原油（重質原油を含む）、重質油、植物油（藻油を含む）、動物油、廃油等のどのような油でも使用することができる。
【００４８】
次に、この発明の第２の実施形態を図３を用いて説明する。図３は本発明のガス製造装置の第２の実施形態を示す図である。図３において、上記の図１と同一の構成要素には同一の符号を付してその説明を省略する。
【００４９】
この第２の実施形態のガス製造装置１Ｂが第１の実施形態のガス製造装置１Ａと異なるのは、メタンガス製造部４０に替えて、水素ガス製造部５０を設けた点である。
【００５０】
第１の実施形態と同様に、水混合体製造部３０で均一になるように混合され生成された水混合体は、質量流量計（例えばコリオリ式質量流量計）３１を通過した後、加熱器３２で加熱され、その後脱硫器３３で硫黄分が除去され、水素ガス製造部５０に原料として供給される。水混合体の、水素ガス製造部５０の入口での温度は、約４００℃となるように、加熱器３２で加熱される。この４００℃は、水素ガス製造部５０において、水と液体との熱化学反応が最も速やかに進行し、効率良く水素ガスが生成される水素ガス製造部入口温度であり、対象となる水混合体の種類に各種温度に設定される。
【００５１】
また、上記の第１の実施形態と同様に、制御部１００は、水の体積流量ＶＦｗ、液体の体積流量ＶＦｑ、および水混合体の質量流量ＭＦｍの計測結果を用いて、液体の密度ρｑを求め、その密度ρｑから液体を構成する分子の組成式を決定する。一方、水と液体との間には最大量の水素ガスが製造されるための最適なモル比が既知のものとして存在しており、制御部１００は、水と液体とがその最適なモル比となるように、上記の液体の密度ρｑを用いて、水の最適体積流量ＶＦｗｏを求め、流量計１３で計測した水の体積流量ＶＦｗがその最適体積流量ＶＦｗｏとなる、流量制御弁１４の弁開度Ｄｃを求め、その指令信号を流量制御弁１４に出力する。このようにして、水素ガス製造部５０には、最大量の水素ガスが得られる最適のモル比に制御された水と液体とからなる水混合体が送り込まれる。
【００５２】
水素ガス製造部５０では、入口から出口に渡って反応管（図示省略）が貫通し、その反応管内を水混合体が流れる。反応管内では周囲の熱を受けて熱化学反応が起こって水混合体がガス化反応し、その７０％程度が水素ガスとなり、その他に一酸化炭素ガスや二酸化炭素ガスとなって出口から回収される。
【００５３】
反応管に熱を供給するために、水素ガス製造部５０の入口側から内部に向けて、加熱器５４で加熱された空気と、燃料とを送り込み、反応管の周囲で燃焼させている。その熱を受けて反応管内では、上記のように、熱化学反応が起こり、入口側では約４００℃であった水混合体が外側からの加熱により反応し、ガス温度は出口に向かって温度が上昇し、出口温度が７００±１５０℃となるように制御されている。５５０℃以下となると、発熱反応となり水素濃度が減少する点で不具合が生じ、８５０℃以上となると、水素濃度の上限値となり、熱を加えるだけ熱損失となる点で不具合が生じるからである。なお、より好ましい出口温度は７００℃〜８００℃である。
【００５４】
水素ガス製造部５０で製造されたガスは、その後冷却器５１で冷却された後、２系統に分岐し、一方の系統では、ＣＯ変成器５２で一酸化炭素ガスが二酸化炭素ガスにされた後、クーラー５３で５０℃に冷却され、水素が約６８〜７１％で、二酸化炭素ガスが約２９〜３２％からなるガスとして、ＰＥＦＣ（固体高分子型燃料電池）等の燃料電池ユーザや水素ガス消費ユーザに供給される。
【００５５】
他方の系統では、冷却器５１で５０℃に冷却された後そのままユーザーへ供給される。すなわち、水素が約６８〜７１％、一酸化炭素ガスが約２２〜２４％、二酸化炭素ガスが約５〜１０％からなるガスとして、ＳＯＦＣ（固体酸化物型燃料電池）等の燃料電池ユーザや水素ガス消費ユーザに供給される。
【００５６】
上記の水素ガス製造部５０における熱化学反応は、水混合体を構成する液体の種類に応じて次のようになる。
【００５７】
先ず、液体が油の場合、水素ガス製造部５０は、下記の熱化学反応式（１１）で水素ガスを発生させる。なお、液体が油の場合、水混合体は水と油とのエマルジョンである。
ＣmＨn＋{（１２ｍ−ｎ）／８}Ｈ2Ｏ→{（４ｍ−ｎ）／８}ＣＯ2＋{（４ｍ＋ｎ）／８}ＣＯ＋{３（４ｍ＋ｎ）／８}Ｈ2＋（１２５．５ｍ−６３．０ｎ）（ＭＪ／ｋｍｏｌ）・・・（１１）
【００５８】
また、液体がジメチルエーテル（ＤＭＥ）の場合、水素ガス製造部５０は、下記の熱化学反応式（１２）で水素ガスを発生させる。
Ｃ2Ｈ6Ｏ＋２Ｈ2Ｏ→ＣＯ2＋ＣＯ＋５Ｈ2＋４１１．３（ＭＪ／ｋｍｏｌ）・・・（１２）
【００５９】
液体がメタノール（アルコール）の場合、水素ガス製造部５０は、下記の熱化学反応式（１３）で水素ガスを発生させる。
ＣＨ3ＯＨ＋Ｈ2Ｏ→ＣＯ2＋３Ｈ2＋３３６．４（ＭＪ／ｋｍｏｌ）・・・（１３）
【００６０】
液体がエタノール（アルコール）の場合、水素ガス製造部５０は、下記の熱化学反応式（１４）で水素ガスを発生させる。
Ｃ2Ｈ5ＯＨ＋２Ｈ2Ｏ→ＣＯ2＋ＣＯ＋５Ｈ2＋４４７（ＭＪ／ｋｍｏｌ）・・・（１４）
【００６１】
液体がナフサ（油）とメタノール（アルコール）の場合、水素ガス製造部５０は、下記の熱化学反応式（１５）で水素ガスを発生させる。なお、水とナフサとはエマルジョンを形成し、水混合体はこのエマルジョンとメタノールとの混合体である。
Ｃ5Ｈ12＋６Ｈ2Ｏ＋ＣＨ3ＯＨ→ＣＯ2＋５ＣＯ＋１４Ｈ2＋４９２．８（ＭＪ／ｋｍｏｌ）・・・（１５）
【００６２】
液体がナフサ（油）とエタノールの場合、水素ガス製造部５０は、下記の熱化学反応式（１６）で水素ガスを発生させる。なお、水とナフサとはエマルジョンを形成し、水混合体はこのエマルジョンとエタノールとの混合体である。
Ｃ5Ｈ12＋７Ｈ2Ｏ＋Ｃ2Ｈ5ＯＨ→ＣＯ2＋６ＣＯ＋１６Ｈ2＋６５６．８（ＭＪ／ｋｍｏｌ）・・・（１６）
【００６３】
以上述べたように、この発明の第２の実施形態では、水と水以外の液体とから水混合体を製造し、その水混合体を原料として水素ガスを製造するようにしたので、従来の水蒸気改質プロセスでの大量の水を大幅に低減することができ、水の消費量を４０％未満に低減することができる。また、触媒も使用する必要がなく、コーキングの懸念もなしで設備寿命を延ばすことができる。さらに、高温スチームも不要となる。したがって、水素ガスの製造コストを大幅に低減することができる。
【００６４】
また、触媒を用いないため反応管を小型化でき、さらに、水蒸気を発生させるための装置も不要となるため、全体的に装置を大幅に小型化でき、設置スペースも容易に確保することができる。したがって、車両にも搭載可能となり、製造した水素ガスをリアルタイムでエンジンに供給することができるようになる。
【００６５】
従来の水蒸気改質に使用される大量の水が、この発明では大幅に低減できるのは、下記の理由による。従来の水蒸気改質による場合、反応管（触媒管）に、予め各々の加熱器で加熱されてガス化された炭化水素系原料と水蒸気の混合ガスを導入し、反応管を加熱することで触媒の存在下に発生する水蒸気改質反応により、炭化水素と水との熱化学反応が進行し、改質ガス（ここでは水素ガス）を生成する。このとき、反応管内では、炭化水素分子と水蒸気（水分子）とは、予め各々の加熱器で加熱されてガス状態で混合されたものであるため、その混合は十分なされているとは言えず、炭化水素分子と水分子とは距離が離れた状態になっており、熱化学反応が進み難くなっている。このため、大量の水蒸気を投入してできるだけ炭化水素分子と水分子とのコンタクトを起こしやすくし熱化学反応が進みやすくなるようにしている。
【００６６】
これに対し、この発明では、水混合体を原料とし、その水混合体を加熱器で加熱しガス状とし反応管に導入する。このガス状の水混合体を構成する、炭化水素と水分子とは、元来液体状態で最初から互いにコンタクトし、均一に混合されていたものであるため、ガス状となってもその混合はより均一な状態を保持しており、炭化水素の周囲には、密に水分子が存在している。したがって、水蒸気を投入しなくても、熱化学反応が円滑に進行可能となっている。このことが、従来の水蒸気改質に使用される大量の水を、この発明では大幅に低減できる理由である。
【００６７】
また、従来の水蒸気改質による場合、炭化水素の周囲に大量の水蒸気が存在することで確かに熱化学反応は進行しやすくなり、炭素析出（コーキング）は防止できるものの、高温水蒸気を６０％以上無駄に消費するために水素の生成が効率良く行われていないのが現状である。
【００６８】
これに対し、この発明では上記したように、水の体積流量ＶＦｗ、液体の体積流量ＶＦｑ、および水混合体の質量流量ＭＦｍを計測し、この計測結果を用いて、水と液体とのモル比が、水素ガス製造に最適なモル比となるように、水の流量を制御している。すなわち、この発明では、投入された水はそのすべてが水素に変換され、炭化水素の周囲には余分の水分子は存在せず、ガス生成を最高の効率下で行うことができる。
【００６９】
また、この発明では、上記したように、水の体積流量ＶＦｗ等の計測結果を用いて、組成式ＣｍＨｎで表わされる油の組成ｍ、ｎを決定することができる。このため、油の種類に関係なく、水と油とのモル比が水素ガス製造に最適なモル比となるように、水の流量を制御することができ、したがって、ナフサ、ガソリン、灯油、軽油、Ａ重油、Ｂ重油、Ｃ重油、原油（重質原油を含む）、重質油、植物油（藻油を含む）、動物油、廃油等のどのような油でも使用することができる。
【００７０】
次に、この発明の第３の実施形態を図４を用いて説明する。図４は本発明のガス製造装置の第３の実施形態を示す図である。図４において、上記の図１、図３と同一の構成要素には同一の符号を付してその説明を省略する。
【００７１】
この第３の実施形態のガス製造装置１Ｃでは、第１の実施形態のガス製造装置１Ａおよび第２の実施形態のガス製造装置１Ｂを並列に設けるととともに、ガス製造装置１Ａのメタンガス製造部４０と、ガス製造装置１Ｂの水素ガス製造部５０との間に熱交換を行わせるように構成している。
【００７２】
すなわち、メタンガス製造部４０では、その発熱反応により、反応管内のガス温度は１３００〜１６００℃まで温度が上昇する。一方、水素ガス製造部５０では、その吸熱反応により、反応管内のガス温度は加熱がないと、温度が低下する。この実施形態では、メタンガス製造部４０の高温のガスを水素ガス製造部５０の熱交換部（図示省略）に導入し、水素ガス製造部５０の反応管内のガス出口温度を所望の７００±１５０℃まで上昇させている。また、水素ガス製造部５０の４００℃のガスをメタンガス製造部４０の熱交換部（図示省略）に導入し、メタンガス製造部４０の反応管内のガス出口温度を所望の３００±１５０℃まで低下させている。
【００７３】
このように、この第３の実施形態では、ガス製造装置１Ａのメタンガス製造部４０と、ガス製造装置１Ｂの水素ガス製造部５０との間で熱交換を行わせるように構成したので、反応管内での熱化学反応で生成した熱を有効に活用することができ、装置全体の熱効率を改善することができる。
【００７４】
上記の各実施形態において、水混合体はメタンガス製造、水素ガス製造の原料になるばかりでなく、各ガス製造部４０，５０の反応器を加熱するための燃料や、加熱器２２，３２の燃料にもなり得る。これは、水混合体が着火すると、生成したメタン、ＣＯ、水素の可燃性ガスが周囲の酸素と拡散燃焼を行うことによる。
【００７５】
また、製造したメタンガスや水素ガスは、メタンガス製造部や水素ガス製造部の燃料として使用可能である。
【００７６】
本プロセスの最大の特長は水がエネルギー原料として使用されていることである。そして、製造されたメタンや水素が燃焼あるいは燃料電池に使われた時に発生するＨ2Ｏはまた、原料Ｈ2Ｏとして使われることができ、この点で水は「再生可能自然エネルギー（Ｒｅｎｅｗａｂｌｅ  Ｅｎｅｒｇｙ）」でもある。
油（炭化水素）と水のエマルジョンを例にとると、上記の反応式（５）に示したように、以下のようになる。
ＣmＨn＋{（４ｍ−ｎ）／４}Ｈ2Ｏ→{（４ｍ−ｎ）／８}ＣＯ2＋{（４ｍ＋ｎ）／８}ＣＨ4・・・・・・（１７）
このメタンが燃焼したときの反応式は、下記式（１８）となる。
（（４ｍ＋ｎ）／８）ＣＨ4  ＋（（４ｍ＋ｎ）／４）Ｏ2→（（４ｍ＋ｎ）／８）ＣＯ2＋（（４ｍ＋ｎ）／４）Ｈ2Ｏ・・・・・・（１８）
生成したＨ2Ｏ（化学式（１８））から、原料となるＨ2Ｏ（化学式（１７））を差し引くと、
（（４ｍ＋ｎ）／４）Ｈ2Ｏ−（（４ｍ−ｎ）／４）Ｈ2Ｏ＝（ｎ／２）Ｈ2Ｏとなり、水（Ｈ2Ｏ）に着目すると、再生どころか、ｎ／２増加し、自然界の水が増加する方向になっている。
【符号の説明】
【００７７】
１Ａ  ガス製造装置
１Ｂ  ガス製造装置
１Ｃ  ガス製造装置
２    天ぷら廃油粒子
３    水粒子
４    炭酸カリウム
１１    水タンク
１２    ポンプ
１３    流量計
１４    流量制御弁
１５    液体タンク
１６    ポンプ
１７    流量計
２０    水混合体製造部
２１    質量流量計
２２    加熱器
２３    脱硫器
３０    水混合体製造部
３１    質量流量計
３２    加熱器
３３    脱硫器
４０    メタンガス製造部
４１    冷却器
４２    脱炭酸部
４３    クーラー
４４    加熱器
４５    クーラー
５０    水素ガス製造部
５１    冷却器
５２    変成器
５３    クーラー
５４    加熱器
１００    制御部
Ｄｃ    流量制御弁の弁開度
ＭＦｍ    水混合体の質量流量
ＭＦｑ    液体の質量流量
ＭＦｗ    水の質量流量
ＶＦｑ    液体の体積流量
ＶＦｗ    水の体積流量
ＶＦｗｏ  水の最適体積流量
【図１】
2010275538.tif 000003
【図２】
2010275538.tif 000004
【図３】
2010275538.tif 000005
【図４】
2010275538.tif 000006